(57)【特許請求の範囲】
【請求項１】
スタートストップ装置を備える内燃機関の下流に接続される伝動装置（３）を制御するための液圧装置（１）であって、
‐液圧的なエネルギを提供するための液圧式のエネルギ源（１１）と、
‐該液圧式のエネルギ源（１１）により提供可能な液圧的なエネルギを少なくとも部分的に貯蔵し、かつ放出するための、前記液圧式のエネルギ源（１１）の下流に接続されるエネルギアキュムレータ（２３）と、
‐自動化された伝動装置（３）を制御するための、前記液圧式のエネルギ源（１１）及び前記エネルギアキュムレータ（２３）に割り当てられる液圧制御部（５）と、
を備える、伝動装置を制御するための液圧装置において、
前記液圧制御部（５）は、前記液圧式のエネルギ源（１１）に接続され、該液圧式のエネルギ源（１１）によりシステム圧が加えられる主圧力回路（７）と、該主圧力回路（７）から分岐した、パイロット制御圧弁（１５）を有するパイロット制御回路（９）であって、前記パイロット制御圧弁（１５）が前記システム圧を低下させることで、該システム圧より低いパイロット制御圧が加えられるパイロット制御回路（９）とを有し、前記液圧制御部（５）には、前記主圧力回路（７）を介してシステム圧が供給される一方、前記パイロット制御回路（９）を介してパイロット制御圧が供給されるようになっており、
前記エネルギアキュムレータ（２３）は、皿ばね式アキュムレータであり、分岐（２１）を介して前記パイロット制御回路（９）に遮断可能に接続されており、前記パイロット制御回路（９）を介して、前記液圧式のエネルギ源（１１）により提供可能な液圧的なエネルギを貯蔵し、必要なときに前記液圧制御部（５）に供給可能であることを特徴とする、伝動装置を制御するための液圧装置。
【請求項２】
前記分岐（２１）が充填弁（３５）を備える、請求項１記載の液圧装置。
【請求項３】
前記分岐（２１）がＯＲ弁（３７）に割り当てられており、該ＯＲ弁（３７）の第１のＯＲ接続部（４１）が前記液圧式のエネルギ源（１１）の下流に接続されており、前記ＯＲ弁（３７）の第２のＯＲ接続部（４３）が前記パイロット制御回路（９）に割り当てられている、請求項１又は２記載の液圧装置。
【請求項４】
前記エネルギアキュムレータ（２３）が機械式のロック（４７）を備える、請求項１から３までのいずれか１項記載の液圧装置。
【請求項５】
前記分岐（２１）が前記パイロット制御回路（９）のパイロット制御圧弁（１５）の下流に接続されている、請求項１から４までのいずれか１項記載の液圧装置。
【請求項６】
前記伝動装置（３）が円錐円板巻掛け伝動装置として形成されている、請求項１から５までのいずれか１項記載の液圧装置。
【発明の詳細な説明】
【技術分野】
【０００１】
本発明は、スタートストップ装置を備える内燃機関の下流に接続される伝動装置を制御するための液圧装置であって、液圧的なエネルギを提供するための液圧式のエネルギ源と、該液圧式のエネルギ源により提供可能な液圧的なエネルギを少なくとも部分的に貯蔵し、かつ放出するための、液圧式のエネルギ源の下流に接続されるエネルギアキュムレータと、自動化された伝動装置を制御するための、液圧式のエネルギ源及びエネルギアキュムレータに割り当てられる液圧制御部とを備える、伝動装置を制御するための液圧装置に関する。
【０００２】
冒頭で述べた形式の液圧装置は、公知である。スタートストップ装置により、内燃機関は、例えば、内燃機関により駆動可能な自動車の予め決められた運転状態に基づいて、始動かつ停止可能である。エネルギアキュムレータにより、自動化された伝動装置を制御するための液圧制御部には、特に内燃機関のストップ期間中、付加的に液圧的なエネルギが供給可能である。ＤＥ４３２３１３３Ａ１号において、圧力流体を提供するための液圧アキュムレータが公知である。ＥＰ１８９８１０１Ａ２号は、伝動装置の液圧アキュムレータ装置を操作する方法に関する。
【０００３】
本発明の課題は、スタートストップ装置を備える内燃機関の下流に接続される伝動装置を制御するための改良された液圧装置を提供することである。液圧装置は、特に、必要とされる構成スペース、可及的高い温度及び／又は経年安定性に関して最適化されることが望ましい。
【０００４】
この課題は、スタートストップ装置を備える内燃機関の下流に接続される伝動装置を制御するための液圧装置であって、液圧的なエネルギを提供するための液圧式のエネルギ源と、該液圧式のエネルギ源により提供可能な液圧的なエネルギを少なくとも部分的に貯蔵し、かつ放出するための、液圧式のエネルギ源の下流に接続されるエネルギアキュムレータと、自動化された伝動装置を制御するための、液圧式のエネルギ源及びエネルギアキュムレータに割り当てられる液圧制御部とを備える、伝動装置を制御するための液圧装置において、エネルギアキュムレータが分岐により液圧制御部のパイロット制御回路に割り当てられていることにより解決される。有利には、エネルギアキュムレータは、分岐によりパイロット制御回路の液圧的なエネルギを取り出して、必要なときに同じ場所でパイロット制御回路に再び提供することができる。有利には、これにより、パイロット制御回路には、内燃機関が停止されているか、又はまさに始動される、スタートストップ装置のストップ期間中、特にストップ期間から作動期間への移行時においても、確実に液圧的なエネルギが供給される。有利には、その他の液圧制御部の作動制御のために設けられるパイロット制御回路に、有利には液圧的なエネルギが供給される。
【０００５】
液圧装置の一態様では、エネルギアキュムレータが皿ばね式アキュムレータを備える。有利には、皿ばね式アキュムレータは、極めてフラットな圧力／容積依存性を有している。有利には、皿ばね式アキュムレータは、これにより、温度影響にもまったく依存しない。さらに、皿ばね式アキュムレータは、僅かな老化を被るにすぎない。
【０００６】
液圧装置の別の態様では、分岐が充填圧弁を備える。充填圧弁は、パイロット制御回路とエネルギアキュムレータとの間に接続可能である。有利には、エネルギアキュムレータは、必要に応じてパイロット制御回路に割り当て可能である。割り当ては、例えばエネルギアキュムレータの充填のためだけ、かつ反対にエネルギアキュムレータの放出のためだけに実施可能である。伝動装置を制御するための液圧装置あるいは液圧制御部のその他の運転状態では、エネルギアキュムレータは完全に遮断可能である。この場合、有利には、エネルギアキュムレータによるパイロット制御回路への不都合な影響は生じない。
【０００７】
液圧装置の別の態様では、分岐がＯＲ弁に割り当てられており、ＯＲ弁の第１のＯＲ接続部が液圧式のエネルギ源の下流に接続されており、ＯＲ弁の第２のＯＲ接続部がパイロット制御回路に割り当てられている。有利には、分岐、ひいてはエネルギアキュムレータは、ＯＲ弁により圧力差に基づいて、液圧式のエネルギ源に、例えばエネルギアキュムレータの充填のために割り当て可能であるか、又はパイロット制御回路に、例えばエネルギアキュムレータの放出のために割り当て可能である。
【０００８】
液圧装置の別の態様では、エネルギアキュムレータが機械式のロックを備える。有利には、機械式のロックは、エネルギアキュムレータの放出が起こらないようにすることができる。場合によっては必要な又は所望されるエネルギの取り出しのために、機械式のロックは解除可能である。機械式のロックによりエネルギアキュムレータを、充填弁が省略可能であるように設計することも可能である。
【０００９】
液圧装置の別の態様では、伝動装置が円錐円板巻掛け伝動装置として形成されている。円錐円板巻掛け伝動装置の場合、内燃機関と、下流に接続されるパワートレーンとの間の変速比が自由に選択可能あるいは調節可能である。
【００１０】
液圧装置の別の態様では、分岐がパイロット制御回路のパイロット制御圧弁の下流に接続されている。パイロット制御圧弁により、パイロット制御回路の、例えば５バールのパイロット制御圧が調節可能である。エネルギアキュムレータに、パイロット制御圧弁により調節可能な圧力を充填することが可能である。
【００１１】
別の利点、特徴及び詳細は、図面を参照しながら実施の形態を詳細に説明する以下の説明から看取される。同一、類似かつ／又は機能同一の部材には同じ符号を付す。
【図面の簡単な説明】
【００１２】
【図１】自動化された伝動装置を制御するための、液圧式のエネルギ源、エネルギアキュムレータ及び液圧制御部を備える液圧装置を示す図である。
【図２】図１に示した液圧装置と類似の液圧装置であって、付加的にＯＲ弁が設けられている液圧装置を示す図である。
【００１３】
図１は、スタートストップ装置を備える詳細には説明しない内燃機関の下流に接続される伝動装置を制御するための液圧装置１を示している。伝動装置は、図１に、符号３で概略的にのみ示されている。この伝動装置３を制御するために、液圧装置１は、液圧制御部５を有している。液圧制御部５により、伝動装置３は自動化可能である。例えば、パーキング、ニュートラル、ドライブ及びリバース等の走行段は、液圧式に制御可能である。伝動装置３は、任意の自動化された伝動装置、例えば有段自動変速機、円錐円板巻掛け伝動装置又はツインクラッチ式伝動装置であってよい。伝動装置３を自動化あるいは制御するために、液圧制御部５は、詳細には説明しない制御弁及びサーボ弁並びに制御ピストンを有していてよい。液圧制御部５は、主圧力回路７及びパイロット制御回路９を有している。パイロット制御回路９及び主圧力回路７により、液圧制御部５の、詳細には説明しない液圧コンポーネントに、液圧エネルギを供給可能である。この場合、パイロット制御回路９にパイロット制御圧、例えば５バールのパイロット制御圧を加え、主圧力回路７にシステム圧、一般にはパイロット制御圧を上回るシステム圧を加えることが可能である。システム圧及び／又はパイロット制御圧を発生させるために、液圧制御部５は、液圧式のエネルギ源１１に割り当てられているか、あるいは液圧式のエネルギ源１１の下流に接続されている。液圧式のエネルギ源１１は、液圧媒体、例えば作動油をタンク１３から圧送し、圧力レベルをシステム圧に上昇させることができる。主圧力回路７は、液圧式のエネルギ源１１の下流に直接接続されている。パイロット制御回路９は、液圧式のエネルギ源１１の下流にやはり接続されているものの、パイロット制御圧弁１５を介して接続されている。パイロット制御圧弁１５は、一般にこの目的のために使用される、圧力フィードバック１７及びばね１９を備える圧力制御弁であってよい。パイロット制御圧弁１５は、液圧式のエネルギ源１１により提供可能なシステム圧を制御して、パイロット制御圧に低下させる。液圧式のエネルギ源は、例えば、詳細には説明しない内燃機関により機械的に駆動される液圧ポンプであってよい。しかし、液圧ポンプを、やはり詳細には説明しない電動モータにより駆動することも可能である。最終的には、液圧式のエネルギ源１１が、機械駆動と電気駆動との組み合わせ、特に機械的に駆動されるポンプと電気的に駆動されるポンプとを備えることも可能である。
【００１４】
パイロット制御回路９には、分岐２１により、液圧的なエネルギを貯蔵するためのエネルギアキュムレータ２３が割り当てられている。エネルギアキュムレータ２３は、液圧式の圧力アキュムレータとして形成されており、環状のハウジング２５を有している。ハウジング２５内には、２つの皿ばね２７が格納されている。両皿ばね２７は、それぞれ、Ｕ字形の断面を有するハウジングに当接している。両皿ばね２７は、対向して配置されており、ハウジング２７に流体密に当接しているとともに、それぞれ１つのばねカバー２９に流体密に当接している。適当なシール手段は、詳しくは図示されていない。ハウジング２５、皿ばね２７及びばねカバー２９によって、圧力室３１が包囲される。圧力室３１は、皿ばね２７のばね力に抗して、液圧的なエネルギを蓄えるために拡大可能であり、反対に、液圧的なエネルギを放出するために再び縮小可能である。対応するエネルギの貯蔵は、皿ばね２７によって行われる。
【００１５】
エネルギアキュムレータ２３は、接続部３３を有している。接続部３３は、圧力室３１に配設されている。エネルギアキュムレータ２３の接続部３３は、充填弁３５に割り当てられている。充填弁３５は、例えば電気的に操作可能な切換弁として形成可能である。充填弁３５により分岐２１は、エネルギアキュムレータの接続部３３に接続されるか、又は接続部３３から遮断され得る。有利には、充填弁３５によりエネルギアキュムレータ２３は、充填又は放出のためだけにパイロット制御回路９に割り当て可能である。エネルギアキュムレータ２３による付加的なエネルギ供給が不要な液圧制御部５の運転状態において、エネルギアキュムレータ２３は遮断可能である。充填弁３５の対応する切換位置は、図１に示されている。
【００１６】
図２は、図１に示した液圧装置１と類似に形成されている別の液圧装置１を示している。以下に、相違点についてのみ詳細に説明する。
【００１７】
図１に示した液圧装置とは異なり、液圧装置１は、ＯＲ弁（Ｏｄｅｒ−Ｖｅｎｔｉｌ）３７を有している。ＯＲ弁３７は、主圧力回路７に対する並列分岐３９に接続されている。並列分岐３９は、パイロット制御圧弁１５も有している。
【００１８】
ＯＲ弁３７は、第１のＯＲ接続部４１及び第２のＯＲ接続部４３並びにセンタ接続部４５を有する。センタ接続部４５は、充填弁３５の接続部３３に割り当てられている。ＯＲ弁３７の第１のＯＲ接続部４１は、液圧式のエネルギ源１１の下流に接続されている。ＯＲ弁３７の第２のＯＲ接続部４３は、分岐２１に接続されており、これによりパイロット制御回路９及びパイロット制御圧弁１５に割り当てられている。
【００１９】
有利には、詳細には説明しない内燃機関の始動プロセス時の、高い付加的な流れを不要にすることができる。有利には、エネルギアキュムレータ２３により、特に始動プロセス中、液圧的なエネルギが、液圧制御部５、特にパイロット制御回路９に供給可能である。有利には、エネルギアキュムレータ２３は、皿ばね２７及び圧力室３１を備え、いわゆる皿ばね式アキュムレータを形成している。皿ばね式アキュムレータは、有利には、フラットな圧力／容積依存性を示し、温度による影響をまったく示さず、かつ、いわば圧力室３１のアキュムレータ容量の変化をアキュムレータの寿命にわたって示さない。
【００２０】
エネルギアキュムレータ２３のフラットな圧力／容積依存性は、内燃機関の始動プロセス時に供給不足が発生する場合がある液圧制御部５の箇所において、通常運転中、液圧的なエネルギをエネルギアキュムレータ２３の皿ばね２７により貯蔵して、この液圧的なエネルギを必要なときに正確にこの箇所に再び供給することを可能にする。本発明では、エネルギアキュムレータ２３は、有利には分岐２１によりパイロット制御回路９に、すなわちパイロット制御圧弁１５の下流に接続される位置に配設されている。パイロット制御圧弁１５の下流のこの位置は、いわゆる円錐円板巻掛け伝動装置（ＣＶＴ）のために特に適している。しかし択一的には、特に有段自動変速機又はツインクラッチ式伝動装置の場合、別の開口箇所も可能である。電気的に制御可能な充填弁３５を介して、エネルギアキュムレータ２３は、密に、その他の液圧装置１から遮断可能である。充填及び放出のためだけに、有利には、充填弁３５を短期的に作動制御可能である。その結果、充填弁３５は開弁する。充填弁３５は、有利にはばねにより負荷された座弁であってよい。しかし択一的には、シールされたいわゆるスプール弁を備える態様も可能である。さらに、エネルギアキュムレータ２３が、緊張した、つまり充填された状態において、皿ばね２７の鋼内に貯蔵されたエネルギが、充填弁３５の、場合によっては存在する漏れを介して意図せず消失してしまうことがないようにするために、エネルギアキュムレータ２３を機械的にロックすることも可能である。図２には、概略的に、エネルギアキュムレータ２３のロック４７が示されている。ロック４７によって、皿ばね２７のばね力による圧力室３１のさもなければ発生する縮小は阻止可能である。その結果、エネルギアキュムレータ２３からのエネルギの意図しない逃げは確実に防止可能である。エネルギの取り出しが所望される場合は、ロック４７を解除することができる。その結果、エネルギアキュムレータ２３は、液圧的なエネルギをパイロット制御回路９に放出可能である。この場合、充填弁３５を省略すること、つまり、特にエネルギアキュムレータ２３の排出が適当な管路案内を介して提供されている場合、充填弁３５を完全になくしてしまうことも可能である。この種の機械的な保持システムは、本件出願人のＤＥ４３２３１３３Ａ１号に開示されており、同様に、図１及び図２に示したエネルギアキュムレータのためにも使用可能である。ＤＥ４３２３１３３Ａ１号、特に図１及び図２並びに対応する説明は、援用により本願明細書の内容とする。
【００２１】
エネルギアキュムレータ２３を、内燃機関の始動プロセスの際、接続された消費器の圧力レベルより高い圧力レベルで充填する必要があれば、このことは、図２の図示にしたがってやはり可能である。有利には、このことは、主圧力回路に並列に接続されており、液圧式のエネルギ源の下流に接続されているＯＲ弁３７によって実施可能である。ＯＲ弁３７は、充填弁３５の接続部３３と分岐２１との間に、つまり、エネルギアキュムレータ２３に配設される放出管路内に接続されている。エネルギアキュムレータ２３の充填は、充填弁３５の開弁時、第１のＯＲ接続部４１又は第２のＯＲ接続部４３を介して、厳密にはどちらの接続部４１，４３により高い圧力がかかっているかに応じて実施可能である。第１のＯＲ接続部４１では、圧力が、より高いシステム圧であってよい。エネルギアキュムレータ２３の放出のための体積流量は、ＯＲ弁３７を介してパイロット制御回路９に供給可能である。
【符号の説明】
【００２２】
１  液圧装置
３  伝動装置
５  液圧制御部
７  主圧力回路
９  パイロット制御回路
１１  エネルギ源
１３  タンク
１５  パイロット制御圧弁
１７  圧力フィードバック
１９  ばね
２１  分岐
２３  エネルギアキュムレータ
２５  ハウジング
２７  皿ばね
２９  ばねカバー
３１  圧力室
３３  接続部
３５  充填弁
３７  ＯＲ弁
３９  並列分岐
４１  第１のＯＲ接続部
４３  第２のＯＲ接続部
４５  センタ接続部
４７  ロック
【図１】
0005773876.tif 000002
【図２】
0005773876.tif 000003